(57)【要約】      （修正有）【課題】放熱フィンの間に滞留する放出熱を速やかに放出させることにより、小型であっても放熱性能を高めることができる空冷用放熱器を提供する。【解決手段】冷用放熱器は、金属素材２の表面に板状の複数の放熱フィン３が一体に起立形成される。放熱フィン３は、金属素材２側の基端から先端までの板厚がほぼ等しく形成され、放熱フィン３の形状は、基端側が金属素材２の表面に対して傾斜し、先端側が金属素材２に対してほぼ垂直になるように形成される。そして、各放熱フィン３の間隔は、基端側を狭く、先端側を広く形成している。【選択図】図２
0003191726.tif 000002
【実用新案登録請求の範囲】
【請求項１】
熱伝導率が良好な金属素材の表面に板状の複数の放熱フィンを前記金属素材と一体に起立形成した放熱器であって、
前記放熱フィンは、前記金属素材側の基端から先端までの板厚がほぼ等しく形成されると共に、基端側が前記金属素材の表面に対して傾斜し、先端側が前記金属素材に対してほぼ垂直に形成され、
かつ、各放熱フィンの間隔は、前記基端側を狭く、先端側を広く形成してなる空冷用放熱器。
【請求項２】
板状の複数の放熱フィンは、切削工具により金属素材の表面を掘り起こすことにより、前記放熱フィンの基端側は前記金属素材の表面に対して傾斜し、先端側が前記金属素材に対してほぼ垂直に形成されるように略円弧状に起立形成された請求項に記載の空冷用放熱器。
【請求項３】
板状の複数の放熱フィンは、ダイキャストや押出または引き抜き加工等により、前記放熱フィンの基端側は前記金属素材の表面に対して傾斜し、先端側が前記金属素材に対してほぼ垂直に形成されるように中央部で屈曲された請求項に記載の空冷用放熱器。
【考案の詳細な説明】
【技術分野】
【０００１】  本考案は、例えば電子部品等の発熱体から生ずる熱を放熱フィンから効率よく放熱するための空冷用放熱器に関する。
【背景技術】
【０００２】  従来より、コンピュータのＣＰＵ、パワートランジスタ等の発熱体を冷却する素子として、アルミニウム合金や銅のヒートシンク（放熱器）が用いられている。このヒートシンクとして、図６（Ａ）に示すヒートシンク２０は、アルミニウム合金を押し出し成形することにより、伝熱プレート２０ａと放熱フィン２０ｂが一体的に形成されている。また、図６（Ｂ）に示すヒートシンク２１は、同様にアルミニウム合金や銅からなるプレート２１ａの表面に対して鋭角にカッターを切り入れて、表面近くの金属を切り起こすことにより薄いフィン２１ｂを形成するスカイブ加工によって形成されている。（特開２００１−３５２０２０号公報を参照）【０００３】
【特許文献１】特開２００１−３５２０２０号公報
【考案の開示】
【考案が解決しようとする課題】
【０００４】  しかしながら、このようなヒートシンクは、現在まで多用されているが、所望の放熱特性が得られないことがあった。すなわち、図６（Ａ）のヒートシンク２０においては、各放熱フィン２０ｂの間隔Ｇ２０が、プレート２０ａ側の基端側と先端側とも同じであり、各放熱フィン２０ｂの間の空間に放出熱ＲＨが滞留してしまい、フィン２０ｂの上方に放出されないことが原因として考えられる。一方、図６（Ｂ）のヒートシンク２１においては、プレート２１ａ側の基端側における放熱フィン２１ｂの間隔Ｇ２１が狭く、中央部の間隔Ｇ２２が広く形成されているが、先端側の間隔Ｇ２３においては再び狭く形成されているので、フィン２１ｂの間の空間に放出熱ＲＨが滞留してしまい、フィン２１ｂの上方に放出されないことが原因として考えられる。このように、放出熱ＲＨが滞留するために、放熱効率が低下してしまい、必要な放熱性能を得ようとしてフィン２０ｂ、２１ｂの高さＨ２０、Ｈ２１を高くしていた。この結果、必然的にヒートシンクが大型になり、コンピュータ等の電子機器を大型にさせてしまう問題があった。【０００５】  そこで、本考案の課題は、放熱フィンの間に滞留する放出熱を速やかに放出させることにより、小型であっても放熱性能を高めることができる空冷用放熱器を提供することにある。
【課題を解決するための手段】
【０００６】  上記の課題を解決するために、本考案にかかる空冷用放熱器は、熱伝導率が良好な金属素材の表面に板状の複数の放熱フィンが一体に起立形成され、前記放熱フィンは、前記金属素材側の基端から先端までの板厚がほぼ等しく形成されると共に、基端側が前記金属素材の表面に対して傾斜し、先端側が前記金属素材に対してほぼ垂直に形成され、かつ、各放熱フィンの間隔は、前記基端側を狭く、先端側を広く形成することを要旨としている。【０００７】  また、板状の複数の放熱フィンは、切削工具により金属素材の表面を掘り起こすことにより、前記放熱フィンの基端側は前記金属素材の表面に対して傾斜し、先端側が前記金属素材に対してほぼ垂直に形成されるように略円弧状に起立形成することが望ましい。【０００８】  さらに、板状の複数の放熱フィンは、ダイキャストや押出または引き抜き加工等によって、前記放熱フィンの基端側は前記金属素材の表面に対して傾斜し、先端側が前記金属素材に対してほぼ垂直に形成されるように中央部で屈曲することが望ましい。
【考案の効果】
【０００９】  本考案にかかる空冷用放熱器によれば、板状の複数の放熱フィンの基端側を金属素材の表面に対して傾斜させ、先端側を金属素材に対してほぼ垂直に形成することにより、各放熱フィンの間隔が基端側を狭く、先端側を広く形成される。このように、放熱フィンの先端側を広く形成することにより、伝導された放出熱が放熱フィンの基端側から各放熱フィンの両面に沿って滞留するが、広く形成された先端側では滞留した放出熱が分離し、その間に空間が形成される。この結果、空間に周囲から空気が流入して滞留した放出熱が速やかに排除されて放出するので、放熱フィンが低くても放熱性能を高めることができる。【００１０】  また、切削工具により金属素材の表面を掘り起こすことにより板状の複数の放熱フィンを略円弧状に起立形成される。これにより、放熱フィンの基端側は金属素材の表面に対して傾斜し、先端側に至るに従って金属素材に対してほぼ垂直に形成される。このように、放熱フィンを略円弧状に形成することにより、各放熱フィンの間の間隔を徐々に広くなるので、滞留した放出熱を円弧面に沿って速やかに排除されて放出することが可能となる。【００１１】さらに、ダイキャストや押出または引き抜き加工等によって板状の複数の放熱フィンを形成する場合には、基端側は金属素材の表面に対して傾斜させ、先端側は金属素材に対してほぼ垂直になるように中央部で屈曲するとことにより、各放熱フィンの間隔が基端側を狭くさせ、先端側を広くさせるように形成される。このような各放熱フィンの間の間隔に形成することにより、広く形成された先端側では滞留した放出熱を分離させる空間が形成されるので、滞留した放出熱が速やかに放出されるので、放熱性能を高めることができる。
【図面の簡単な説明】
【００１２】
【図１】本考案にかかる空冷用放熱器を示す斜視図である。
【図２】図１に示す空冷用放熱器の放熱フィンを示す側面図である。
【図３】各放熱フィンの間に遅滞する放射熱の状態を示す説明図である。
【図４】放熱フィンを切削工具により形成する状態を示す説明図である。
【図５】ダイキャスト等で形成した放熱フィンを示す側面図である。
【図６】（Ａ）（Ｂ）は、従来の放熱フィンを示す側面図である。
【考案を実施するための最良の形態】
【００１３】  空冷用放熱器は、熱伝導率が良好な金属素材の表面に板状の複数の放熱フィンが一体に起立形成される。前記放熱フィンは、前記金属素材側の基端から先端までの板厚がほぼ等しく形成され、放熱フィンの形状は、基端側が前記金属素材の表面に対して傾斜し、先端側が前記金属素材に対してほぼ垂直になるように形成される。そして、各放熱フィンの間隔は、前記基端側を狭く、先端側を広く形成している。【００１４】  本考案による空冷用放熱器について図面を参照して詳細に説明する。図１は、空冷用放熱器の第１の実施例を示す斜視図である。放熱器１に使用する金属材２は、熱伝導率が良好なアルミニウムやアルミニウム合金或いは銅等の板状の金属素材２が使用される。この金属板素材２は所定の板厚を有し、その表面に複数枚の肉薄な板状の放熱フィン３が一体に起立形成されている。これら複数の放熱フィン３は、同一間隔に形成され、起立角度、高さ、及び、板厚は同一に形成されている。なお、複数の放熱フィン３を起立形成する間隔は、任意の寸法に設定されるが、空冷用の放熱器１としての機能を備えるためには、概ね０．５ｍｍ乃至３．０ｍｍ程度が望ましい。【００１５】  また、放熱フィン３の板厚は、後述するように、金属素材２の表面から切削工具によって掘り起こすことにより形成されるので肉薄くすることが可能である。例えば、小型電子部品に使用する空冷用の放熱器１の放熱フィン３としては、０．０５ｍｍ乃至０．５ｍｍ程度の板厚とすることが望ましい。そして、放熱フィン３は、図２に示すように、金属素材２の表面の基端から先端までの板厚はほぼ等しく形成されている。さらに、放熱フィン３の形状は、基端側が金属素材２の表面に対して傾斜し、先端側が金属素材２に対してほぼ垂直になるように略円弧状に形成される。このように形成することにより、隣接する各放熱フィン３との間隔は、基端側の間隔Ｇ１が狭くなり、先端側の間隔Ｇ２が広く形成される。【００１６】  上述した放熱フィン３は、図４に示す切削工具４によって掘り起こすことにより起立形成される。切削工具４は、底面側の先端に移動方向と直角な刃部４ａが形成されている。このように構成された切削工具４は、金属素材２に対して後端側が高くなるように所定の角度θで傾斜させて図示しない駆動装置に取り付けられる。切削工具４の傾斜角度θは、放熱フィン３の高さ、板厚、或いは、金属素材２の材質等によって適宜に設定されるが、概ね５度から２０度に設定される。【００１７】  まず、切削工具４を金属素材２の表面に当接させた後、切削工具４を上記駆動装置により所定の角度で金属素材２の裏面方向に移動させる。この切削工具４の移動によって、先端の刃部４ａが所定の高さＨになるまで金属素材２を掘り起し、基端側が金属素材２の表面に対して傾斜し、先端側が金属素材２に対してほぼ垂直になるような略円弧状の肉薄な放熱フィン３が起立形成される。また、この放熱フィン３は、金属素材２の表面の基端から先端までの板厚がほぼ等しく形成される。【００１８】  このように、切削工具４によって金属素材２を掘り起し、基端側を金属素材２の表面に対して傾斜させ、先端側を金属素材２に対してほぼ垂直になるような略円弧状に放熱フィン３を起立形��させると、図２に示すように、隣接する各放熱フィン３との間隔は、基端側の間隔Ｇ１が狭くなり、先端側の間隔Ｇ２が広く形成される。【００１９】  次に、放熱器１の放熱フィン３による放熱に作用について、図３により説明する。放熱器１の裏面側には、例えばＣＰＵ等の発熱体３０が配置されていて、発熱体３０からの発熱が金属素材２から放熱フィン３に伝導され、放熱フィン３から放出熱ＲＨが放出する。この放出熱ＲＨは、放熱フィン３の基端側に一旦滞留したのち、各放熱フィン３の両面に沿って先端側に移動する。放熱フィン３の先端側は、間隔Ｇ２が広く形成されているので、滞留した放出熱ＲＨが分離し、その間に空間Ｓが形成される。この空間Ｓには周囲から空気が流入し、滞留していた放出熱ＲＨが速やかに排除されて放出する。この結果、発熱体３０からの発熱は、各放熱フィン３の間に滞留することなく放熱されるので、放熱性能が高められる。また、このように放熱フィン３を形成することによって、放熱フィン３の高さＨを前述した図６に示したフィンの高さＨ２０、Ｈ２１よりも低くしても同等の放熱性能を得ることができるので、放熱器１を小型化することができる。【００２０】  図５は、熱伝導率が良好なアルミニウムやアルミニウム合金によって、ダイキャストや押出または引き抜き加工等により、放熱フィン１２を形成した放熱器１０の第２の実施例を示している。この放熱器１０の放熱フィン１２は、前述した実施例と同様に、金属素材１１の基端側は金属素材１１の表面に対して傾斜し、先端側が金属素材１１に対してほぼ垂直に形成されるように中央部で屈曲させている。また、放熱フィン１２は、金属素材１１の表面の基端から先端までの板厚がほぼ等しく形成されている。【００２１】  このように、放熱フィン１２の中央部を屈曲形成させることにより、図５のように、隣接する各放熱フィン１２との間隔は、基端側の間隔Ｇ３が狭くなり、先端側の間隔Ｇ４が広く形成される。【００２２】  図５に示す第２の実施例においても、放熱器１０の裏面側にＣＰＵ等の配置された発熱体からの発熱が金属素材１１から放熱フィン１２に伝導され、放熱フィン１２から放出熱ＲＨが放出する。この放出熱ＲＨは、放熱フィン１２の基端側に一旦滞留したのち、各放熱フィン１２の両面に沿って先端側に移動する。放熱フィン１２の先端側は、間隔Ｇ４が広く形成されているので、滞留した放出熱ＲＨが分離し、その間に空間Ｓが形成される。この空間Ｓには周囲から空気が流入し、滞留していた放出熱ＲＨが速やかに排除される。これにより、各放熱フィン１２の間に滞留することなく放熱されるので、放熱効率を高めることが可能となる。また、この第２の実施例においても、放熱フィン３の高さＨ１０を低くしても、図６に示した従来のヒートシンクと同等の放熱性能を得ることができることから、放熱器１０を小型にすることができる。【００２３】  以上、本考案を実施例に基づいて具体的に説明したが、本考案は上記実施例に限定されるものではなく、その要旨を逸脱しない範囲内で種々変更可能であることは言うまでもない。図５に示した実施例における放熱フィンは、中央部を円弧を描くように屈曲させても良い。
【符号の説明】
【００２４】１    放熱器
２    金属素材
３    放熱フィン
４    切削工具
Ｇ１  基端側の間隔
Ｇ２  先端側の間隔
【図１】
0003191726.tif 000003
【図２】
0003191726.tif 000004
【図３】
0003191726.tif 000005
【図４】
0003191726.tif 000006
【図５】
0003191726.tif 000007
【図６】
0003191726.tif 000008
【手続補正書】
【提出日】平成26年4月21日(2014.4.21)
【手続補正１】
【補正対象書類名】実用新案登録請求の範囲
【補正対象項目名】全文
【補正方法】変更
【補正の内容】
【実用新案登録請求の範囲】
【請求項１】
熱伝導率が良好な金属素材の表面に板状の複数の放熱フィンを前記金属素材と一体に起立形成した放熱器であって、
前記放熱フィンは、前記金属素材側の基端から先端までの板厚がほぼ等しく形成されると共に、基端側が前記金属素材の表面に対して傾斜し、先端側が前記金属素材に対してほぼ垂直に形成され、
かつ、各放熱フィンの間隔は、前記基端側を狭く、先端側を広く形成してなる空冷用放熱器。
【請求項２】
板状の複数の放熱フィンは、切削工具により金属素材の表面を掘り起こすことにより、前記放熱フィンの基端側は前記金属素材の表面に対して傾斜し、先端側が前記金属素材に対してほぼ垂直に形成されるように略円弧状に起立形成された請求項１に記載の空冷用放熱器。
【請求項３】
板状の複数の放熱フィンは、ダイキャストや押出または引き抜き加工により、前記放熱フィンの基端側は前記金属素材の表面に対して傾斜し、先端側が前記金属素材に対してほぼ垂直に形成されるように中央部で屈曲された請求項１に記載の空冷用放熱器。